(57)【要約】【課題】  封止作業が簡単且つ迅速に行うことが可能なハウジングにおける蓋体の封止固着手段を提供する。【解決手段】  ハウジング本体１１の開口１３を蓋体２により覆ったハウジング１における蓋体の封止手段であって、前記ハウジング１の開口縁１６または前記蓋体２の底面縁部に突設させた所定の長さを有する位置決めピン４と前記ハウジング１の開口縁１６に対向して当接される蓋体２のフランジ２２または前記蓋体２の底面縁部に対向して当接されるハウジング１の開口縁１６に形成された前記位置決めピン４を嵌挿する所定の長さを有する位置決め孔５とからなり、前記蓋体２をハウジング本体１１を覆って前記位置決め孔５に貫通突出させた前記位置決めピン４の先部をカシメ加工した。【選択図】図４
2016205453.tif 000002
【特許請求の範囲】
【請求項１】
ハウジング本体の開口を蓋体により覆ったハウジングにおける蓋体の封止手段であって、前記ハウジングの開口縁または前記蓋体の底面縁部に突設させた所定の長さを有する位置決めピンと前記ハウジングの開口縁に対向して当接される蓋体のフランジまたは前記蓋体の底面縁部に対向して当接されるハウジングの開口縁に形成された前記位置決めピンを嵌挿する所定の長さを有する位置決め孔とからなり、前記蓋体をハウジング本体を覆って前記位置決め孔に貫通突出させた前記前記位置決めピンの先部をカシメ加工したことを特徴とするハウジングにおける蓋体の封止手段。
【請求項２】
前記位置決めピンが基端側に形成した大径部とその先方に形成した小径部からなり、前記位置決めピンを嵌挿する位置決め孔が前記位置決めピンに合わせて大径部と小径部が連続して形成されていることを特徴とする請求項１記載のハウジングにおける蓋体の封止手段。
【請求項３】
前記位置決めピンおよび位置決め孔を形成する前記大径部と小径部との中心軸線がずれていることを特徴とする請求項２記載のハウジングにおける蓋体の封止手段。
【請求項４】
前記位置決めピンが基端側に形成した大径部が断面円形であるとともにその先方に形成した小径部が前記大径部を中心から縦方向に所定高さだけ直径の半分を削除した断面半円形であることを特徴とする請求項２または３記載のハウジングにおける蓋体の封止手段。
【発明の詳細な説明】
【技術分野】
【０００１】
本発明はハウジング本体の開口を蓋体により覆ったハウジングにおける蓋体の封止手段に関するものである。
【背景技術】
【０００２】
従来、例えば内部に燃料貯留槽を形成するハウジング本体の開口を蓋体により覆ったハウジング内の一部に前記燃料貯留槽へ通じる燃料取入孔を有するとともに前記燃料取入孔から前記燃料貯留槽に貯留された燃料を前記ハウジング内に配置したポンプにより前記ハウジングの一部に形成された燃料吐出口から吐出させてエンジンに供給する燃料供給装置のように、ハウジングの開口から各種の部品を収装した後、前記開口に蓋体を密着させるとともに固着したハウジングが各種の機器に用いられているが、これらのハウジングは機器によっては使用後に勝手に蓋体を開放して収装してある部品の点検、交換、修理などを防止するために蓋体に開放したことが確認可能な封止手段を講じる場合がある。
【０００３】
これらの封止手段としては例えば特開平８−１４６７３９号公報に呈示されているような封印テープなどが簡単であるが、封止効果が確実でない。また、接着や溶着手段によると封止効果が十分であるとともに別途固着手段を必要としないという利点がある。
【０００４】
しかしながら、前記接着や溶着などの手段は手間が掛かり生産性に乏しいという問題がある。
【先行技術文献】
【特許文献】
【０００５】
【特許文献１】特開平８−１４６７３９号公報
【発明の概要】
【発明が解決しようとする課題】
【０００６】
本発明は、前記従来のハウジング本体の開口を蓋体により覆ったハウジングにおける蓋体の封止手段において、封止が確実であることは言うまでもなく封止作業が簡単且つ迅速に行うことが可能なハウジングにおける蓋体の封止固着手段を提供することを課題とする。
【課題を解決するための手段】
【０００７】
前記課題を解決するためになされた本発明は、ハウジング本体の開口を蓋体により覆ったハウジングにおける蓋体の封止手段であって、前記ハウジングの開口縁または前記蓋体の底面縁部に突設させた所定の長さを有する位置決めピンと前記ハウジングの開口縁に対向して当接される蓋体のフランジまたは前記蓋体の底面縁部に対向して当接されるハウジングの開口縁に形成された前記位置決めピンを嵌挿する所定の長さを有する位置決め孔とからなり、前記蓋体をハウジング本体を覆って前記位置決め孔に貫通突出させた前記位置決めピンの先部をカシメ加工したことを特徴とする。
【０００８】
また、本発明において、前記位置決めピンが基端側に形成した大径部とその先方に形成した小径部からなり、前記位置決めピンを嵌挿する位置決め孔が前記位置決めピンに合わせて大径部と小径部が連続して形成されていること、更には前記位置決めピンおよび位置決め孔を形成する前記大径部と小径部との中心軸線がずれていることを特徴とする。
【０００９】
加えて、本発明において、前記位置決めピンが基端側に形成した大径部が断面円形であるとともにその先方に形成した小径部が前記大径部を中心から縦方向に所定高さだけ直径の半分を削除した断面半円形であることを特徴とする。
【発明の効果】
【００１０】
本発明によれば、蓋体を簡単且つ確実に封止可能であるとともに封止状態が解除されたことを簡単且つ確実に目視でき、更に一旦開封した後は勝手に再使用ができない。
【図面の簡単な説明】
【００１１】
【図１】本発明に係る好ましい実施の形態を示す斜視図。
【図２】図１に示した実施の形態を示す分解斜視図。
【図３】図１に示した実施の形態のカシメる前の要部を示す図であり、（ａ）は斜視部分図、（ｂ）は部分断面図。
【図４】図１に示した実施の形態のカシメた後の要部を示す図であり、（ａ）は斜視部分図、（ｂ）は部分断面図。
【図５】図１に示した実施の形態の位置決めピンを示す拡大斜視図。
【発明を実施するための形態】
【００１２】
以下に、本発明の好ましい実施の形態について図面を参照して詳細に説明する。
【００１３】
図面は本発明を燃料タンクとエンジンとの間に配置されて前記燃料タンクの液体燃料をエンジンに所定の流量で供給する燃料供給装置について実施した場合の好ましい実施の形態を示すものであり、燃料供給装置は、上面を開口した有底で内部に燃料貯留槽１２を形成したハウジング本体１１とその開口１３をパッキン３を介して固着具（クリップ）６により気密に覆う蓋体２を有するハウジング１を形成している。
【００１４】
そして、前記ハウジング本体１１には燃料ポンプを初めとして各種の部品が収装されており（図示せず）、例えば前記ハウジング本体１１の側面１４に形成した燃料取入口１５から燃料を取り入れて蓋体２に突設された燃料吐出管２１から吐出させるものである。
【００１５】
特に、本実施の形態では、ハウジング本体１１の開口縁１６の所定位置に位置決めピン４が一体的に突出形成されているとともに、前記ハウジングの開口縁１６に対向して当接される蓋体２のフランジ２２に前記位置決めピン４を嵌挿する位置決め孔５が形成されている。
【００１６】
従って、前記ハウジング本体１１に蓋体２を被せる工程で前記蓋体２に形成された位置決め孔５をハウジング本体１１の開口縁１６に突設された位置決めピン４に差し込むことで蓋体２をハウジング本体１１の所定位置に装着する。
【００１７】
次に、別途に設けた例えばクリップなどの固着具６により蓋体２をハウジング本体１１に固着するとともに図４に示すように前記蓋体２に形成された位置決め孔５から突出しているハウジング本体１１の開口縁１６に突設された位置決めピン４を図２に示すようにカシメることにより膨出したカシメ部４１が形成されて封止が行われる。
【００１８】
本実施の形態によると、簡単且つ確実に封止が可能であることは言うまでもなく、ハウジング本体１１に突設した位置決めピン４を所定の嵌挿位置で固定するので蓋体２をハウジング本体１１に固着する作用も併有させることもできる。
【００１９】
そして、販売後において蓋体２を故意に開放した場合にはカシメ部４１が破壊するので蓋体２を開けたことが容易に確認でき、しかも、蓋体２を開けてカシメ部４１が破壊されると再度カシメることはできない。
【００２０】
また、本実施の形態は、図５に示すように、位置決めピン４が基端側に形成した大径部４２とその先方に形成した小径部４３からなり、前記位置決めピン４を嵌挿する位置決め孔５が図３（ｂ）および図４（ｂ）に示すように前記位置決めピン４に合わせて大径部５２と小径部５３が連続して形成されており、異なる口径の２カ所で確実に嵌挿支持されるので確実に正確な位置に蓋体２を設置することができる。
【００２１】
殊に、本実施の形態では前記位置決めピン４が大径部４２を断面円形としたとともにその先方に形成した小径部４３が前記大径部４２を中心から縦方向に所定高さだけ直径の半分を削除した断面半円形としているので予め前記大径部４２と前記小径部４３を一体成型して形成することが可能であり、また切削他の加工手段により形成しても良い。
【００２２】
加えて、本実施の形態は、位置決めピン４を形成する前記大径部４２と小径部４３および位置決め孔５の大径部５２と小径部５３の中心軸線がずれていることから、きわめて正確な位置に蓋体２を設置することができるものである。
【００２３】
尚、カシメについては位置決めピン４を金属で形成した場合には叩打などにより、合成樹脂の場合には熱溶融など従来周知の手段が用いられるので、特に材質を限定する必要もない。
【００２４】
また、本実施の形態では気密或いは液密に蓋体２を被せることが必要な燃料供給装置について説明したが、これに限らず、本発明は各種用途のハウジング本体と蓋体について使用できることは言うまでもない。
【００２５】
更に、本実施の形態ではハウジング本体１１に位置決めピン４を形成し、蓋体２に位置決め孔５を形成する場合を示したが、逆に蓋体２に位置決めピン４を形成し、ハウジング本体１１に位置決め孔５を形成する場合（図示せず）も同様に実施することができることは言うまでもない。
【００２６】
更にまた、本実施の形態では位置決めピン４をカシメることにより蓋体２の固着効果の向上を図る事も出来、更に、位置決めピン４の本数を増加させた場合には、蓋体２をハウジング本体１１に被せた際の位置決めの精度が増すのみならず固着効果も大きくなるため、例えば固着具の代わりに使用することも可能である。
【符号の説明】
【００２７】
１  ハウジング、２  蓋体、３  パッキン、４  位置決めピン、５  位置決め孔、６  固着具（クリップ）、１１  ハウジング本体、１２  燃料貯留槽、１３  開口、１４  側面、１５  燃料取入口、１６  開口縁、２１  燃料吐出管、２２  フランジ、４１  カシメ部、４２  大径部、４３  小径部、５２  大径部、５３  小径部
【図１】
2016205453.tif 000003
【図２】
2016205453.tif 000004
【図３】
2016205453.tif 000005
【図４】
2016205453.tif 000006
【図５】
2016205453.tif 000007